(57)【要約】【課題】ネットワークを通して配信されるメールデータ等の各種データ通信に関し、非接触ＩＣカードによる通信機能を活用してデータ転送の自由度を向上させる。【解決手段】ネットワークを通じて配信されるメールデータ等の各種のデータを非接触ＩＣカード通信技術を媒介として通信端末装置に転送させ、ネットワークと切り離された通信端末装置を以て転送データの閲覧を可能にしている。ネットワーク８からの受信データを転送するデータ転送装置（ＮＷ機器１０）であって、前記ネットワークを通じてデータを受信するデータ受信部（メール受信部３８）と、無線によりデータの書き込みが可能な非接触ＩＣカード（非接触ＩＣカードチップ５８）が搭載された通信端末装置（携帯電話機１２）の前記非接触ＩＣカードに前記受信データを書き込む非接触通信部１４とを含む構成である。【選択図】    図２
2007140864.tif 000002
【特許請求の範囲】
【請求項１】
ネットワークからの受信データを転送するデータ転送装置であって、
前記ネットワークを通じてデータを受信するデータ受信部と、
無線によりデータの書き込みが可能な非接触ＩＣカードが搭載された通信端末装置の前記非接触ＩＣカードに前記受信データを書き込む非接触通信部と、
を含むことを特徴とするデータ転送装置。
【請求項２】
ネットワークからの受信データを転送するデータ転送方法であって、
前記ネットワークを通じてデータ受信部にデータを受信する処理と、
前記データの転送先の通信端末装置に搭載されて無線によりデータの書き込みが可能な非接触ＩＣカードと通信を確立させる処理と、
前記非接触ＩＣカードに対し、前記データ受信部の受信データを書き込む処理と、
を含むことを特徴とするデータ転送方法。
【請求項３】
コンピュータにより実行され、ネットワークを通して受信したデータを転送するデータ転送プログラムであって、
前記ネットワークを通じてデータを受信するステップと、
前記データの転送先の通信端末装置に搭載されて無線によりデータの書き込みが可能な非接触ＩＣカードとの通信を確立させるステップと、
前記非接触ＩＣカードに受信データを書き込むステップと、
を含むことを特徴とするデータ転送プログラム。
【請求項４】
ネットワークからの受信データがデータ転送装置を介して転送される通信端末装置であって、
無線によりデータの書き込みが可能な非接触ＩＣカードを備え、該非接触ＩＣカードに通信を確立させた前記データ転送装置の非接触通信部により前記受信データが書き込まれることを特徴とする通信端末装置。
【請求項５】
ネットワークからの受信データを転送するデータ転送システムであって、
無線によりデータが書き込み可能な非接触ＩＣカードを備える通信端末装置と、
無線により前記非接触ＩＣカードにデータを書き込む非接触通信部を備え、前記通信端末装置の前記非接触ＩＣカードと前記非接触通信部との通信を確立させ、前記非接触通信部により前記非接触ＩＣカードに前記受信データを書き込むデータ転送装置と、
を含むことを特徴とするデータ転送システム。
【発明の詳細な説明】
【技術分野】
【０００１】
本発明は、インターネット等のネットワークを通じて伝送されるメール等のデータ受信に関し、特に、ネットワークと連携されるネットワーク機器の受信データを例えば、非接触ＩＣ（Integrated Circuit）カードによる近距離通信機能を用いて携帯電話機等の通信端末装置に転送するデータ転送装置、データ転送方法、データ転送プログラム、通信端末装置及びデータ転送システムに関する。
【背景技術】
【０００２】
インターネットを通じて配信されるメール等の各種データ通信に関し、ネットワークに接続されたパーソナルコンピュータ、携帯電話機等の通信端末装置でメール等の各種データを受信し、それを確認することができる。このようなデータ通信に関し、メールチェックについての簡略化技術として例えば、メール着信を知らせる技術（特許文献１）、非接触ＩＣカードを用いて携帯電話機とパーソナルコンピュータとの間で電磁波による非接触通信を行う技術（特許文献２）、記録媒体の媒体ＩＤを情報配信装置に登録する際に用いられる外部接続装置について、前記媒体ＩＤを電子メールに記述する技術（特許文献３）等がある。
【特許文献１】特開２００４−２７２４７８号公報
【特許文献２】特開２００３−３２１７５号公報
【特許文献３】特開２００４−１７８１００号公報
【発明の開示】
【発明が解決しようとする課題】
【０００３】
ところで、特許文献１のメール着信の確認を簡略化した技術によっても、実際にメールを読むためには、パーソナルコンピュータ等の情報機器が必要であり、その操作が必要である。特許文献２には、パーソナルコンピュータに携帯電話機を近接させ、リーダライタから輻射される電磁波が非接触ＩＣカードに受信されたとき、非接触ＩＣカードのカードＩＤをパーソナルコンピュータに通知することが開示されているにすぎない。また、特許文献３には、ＩＣタグのタグＩＤを電子メールに添付して通信することが開示されているにすぎない。そして、ブロードバンドルータやモデム等のネットワーク機器においても、着信メールの内容を確認するには、パーソナルコンピュータを操作し、画面にそのメールを展開する操作が必要であり、利用者にとっては煩わしい作業である。メール着信とメール確認とを分離することが電子メールの利便性を高める場合もある。
【０００４】
斯かる課題について、特許文献１、２、３にはその開示はなく、それを解決する構成についての開示や示唆はない。
【０００５】
そこで、本発明の目的は、ネットワークを通して配信されるメールデータ等の各種データ通信に関し、非接触ＩＣカードによる通信機能を活用してデータ転送の自由度を向上させる。
【課題を解決するための手段】
【０００６】
上記目的を達成するため、ネットワークを通じて配信されるメールデータ等の各種のデータを非接触ＩＣカード通信技術を媒介として通信端末装置に転送させ、ネットワークと切り離された通信端末装置を以て転送データの閲覧を可能にしている。
【０００７】
そこで、本発明の第１の側面は、ネットワークからの受信データを転送するデータ転送装置であって、前記ネットワークを通じてデータを受信するデータ受信部と、無線によりデータの書き込みが可能な非接触ＩＣカードが搭載された通信端末装置の前記非接触ＩＣカードに前記受信データを書き込む非接触通信部とを含む構成であり、斯かる構成によって上記目的を達成することができる。即ち、ネットワークからデータ受信部に受信されたデータが非接触通信部と通信端末装置の非接触ＩＣカードとの通信の確立により、非接触ＩＣカードに転送される。
【０００８】
また、本発明の第２の側面は、ネットワークからの受信データを転送するデータ転送方法であって、前記ネットワークを通じてデータ受信部にデータを受信する処理と、前記データの転送先の通信端末装置に搭載されて無線によりデータの書き込みが可能な非接触ＩＣカードと通信を確立させる処理と、前記非接触ＩＣカードに対し、前記データ受信部の受信データを書き込む処理とを含む構成であり、斯かる構成によって上記目的を達成することができる。即ち、ネットワークからデータをデータ受信部に受信し、非接触通信部と通信端末装置の非接触ＩＣカードとの通信を確立させ、その非接触ＩＣカードに受信データを書き込むことにより、受信データの転送が行われる。
【０００９】
また、本発明の第３の側面は、コンピュータにより実行され、ネットワークを通して受信したデータを転送するデータ転送プログラムであって、前記ネットワークを通じてデータを受信するステップと、前記データの転送先の通信端末装置に搭載されて無線によりデータの書き込みが可能な非接触ＩＣカードとの通信を確立させるステップと、前記非接触ＩＣカードに受信データを書き込むステップとを含む構成であり、斯かる構成によっても、上記目的を達成することができる。即ち、このプログラムのコンピュータによる実行により、ネットワークからデータをデータ受信部に受信し、非接触通信部と通信端末装置の非接触ＩＣカードとの通信を確立させ、その非接触ＩＣカードに受信データを書き込み、受信データの転送が行われる。
【００１０】
また、本発明の第４の側面は、ネットワークからの受信データがデータ転送装置を介して転送される通信端末装置であって、無線によりデータの書き込みが可能な非接触ＩＣカードを備え、該非接触ＩＣカードに通信を確立させた前記データ転送装置の非接触通信部により前記受信データが書き込まれる構成であり、斯かる構成によっても、上記目的を達成することができる。即ち、データ転送装置はネットワークからデータをデータ受信部で受信する。通信端末装置の非接触ＩＣカードとデータ転送装置の非接触通信部との通信を確立させると、データ転送装置により、通信端末装置の非接触ＩＣカードに受信データが書き込まれ、受信データの転送が行われる。
【００１１】
また、本発明の第５の側面は、ネットワークからの受信データを転送するデータ転送システムであって、無線によりデータが書き込み可能な非接触ＩＣカードを備える通信端末装置と、無線により前記非接触ＩＣカードにデータを書き込む非接触通信部を備え、前記通信端末装置の前記非接触ＩＣカードと前記非接触通信部との通信を確立させ、前記非接触通信部により前記非接触ＩＣカードに前記受信データを書き込むデータ転送装置とを含む構成であり、斯かる構成によっても、上記目的を達成することができる。即ち、データ転送装置がネットワークからデータをデータ受信部に受信し、データ転送装置の非接触通信部と通信端末装置の非接触ＩＣカードとの通信を確立させ、データ転送装置により通信端末装置の非接触ＩＣカードに受信データを書き込み、受信データの転送が行われる。
【発明の効果】
【００１２】
本発明によれば、次の効果が得られる。
【００１３】
(1) ネットワークからデータを受信して非接触通信を介在させ、データ転送装置から通信端末装置にデータを転送させるので、通信端末装置とネットワークとの通信処理を軽減でき、通信端末装置側でデータ受信のタイミングを任意に設定することができる。
【００１４】
(2) データ取得として例えば、メールデータに利用すれば、データ転送装置と通信端末装置との間に非接触通信を介在させたことにより、通信端末装置が公衆回線等の回線接続を要することなくメールデータを閲覧できるので、経済的である。
【発明を実施するための最良の形態】
【００１５】
本発明に係るデータ転送装置、データ転送方法、データ転送プログラム、通信端末装置及びデータ転送システムの実施の形態について、図１を参照して説明する。図１は、メールデータ転送システムを示している。
【００１６】
データ転送システムの一例としてメールデータ転送システム２では、メールデータ等の配信元であるインターネット・サービス・プロバイダ（ＩＳＰ：Internet Service Provider ）４のメールサーバ６にインターネット等のネットワーク８を通して接続されたデータ転送装置又はデータ受信装置としてのネットワーク機器（以下「ＮＷ機器」と称する。）１０と、このＮＷ機器１０からデータ転送を受けるデータ転送先である通信端末装置として例えば、携帯電話機１２とで構成されている。ＮＷ機器１０は、ネットワーク８を通じてデータを受信することから、データ受信装置を構成するとともに、受信したデータを転送することから、データ転送装置を構成している。
【００１７】
ＮＷ機器１０は、ネットワーク８と連携されてデータを送受する機能を備える機器として例えば、ブロードバンドルータ、モデム、無線ＬＡＮ（Local Area Network）ステーション、パーソナルコンピュータ等で構成されているとともに、公衆回線を用いないで個別にデータ転送を実現する、ＲＦＩＤ（Radio Frequency IDentification）として例えば、非接触ＩＣ（Integrated Circuit）カード等からなる非接触通信部１４を備えており、この非接触通信部１４は後述の例えば、非接触ＩＣカードリーダ／ライタ部４４（図２）で構成される。また、携帯電話機１２には、非接触通信部１４に対応する非接触通信部１６が備えられ、この非接触通信部１６は後述の例えば、非接触ＩＣカードチップ５８（図３）で構成される。このような非接触ＩＣカード技術を利用する非接触通信技術によれば、非接触通信部１６から発信される電波１８を受信できる限られた通信可能エリア２０に携帯電話機１２が入ったとき、ＮＷ機器１０との間で通信が成立し、メールデータ等のデータ転送が行える。
【００１８】
そして、携帯電話機１２には、キー入力部２２、画面表示部２４等が設置されているとともに、利用者を判定し特定する指紋認証に用いられる指紋センサ２６が設置されている。
【００１９】
このメールデータ転送システム２について、データ転送及びセキュリティ保持等は次の通りである。
【００２０】
(1) ＮＷ機器１０では、定期的にＩＳＰ４のメールサーバ６に設定されたメールボックスにアクセスしてメール着信の確認を行い、メールが存在する場合には、そのメールを取り込み、ＮＷ機器１０内に蓄積する。
【００２１】
(2) ＮＷ機器１０の通信可能エリア２０に携帯電話機１２が入り、例えば、かざすことにより、ＮＷ機器１０との間で無線による非接触通信を成立させる。携帯電話機１２から利用者識別情報を非接触通信を通じてＮＷ機器１０に伝送する。利用者識別情報は例えば、非接触ＩＣカードチップのユニーク番号で構成すればよい。
【００２２】
(3) ＮＷ機器１０では、メール等のデータ転送先としての携帯電話機１２から受けた利用者識別情報に対応付けたアカウントにメール受信データが読み込まれているか否かを確認する。
【００２３】
(4) 携帯電話機１２のメール参照の前に利用者の認証を行わせることも可能である。認証設定がされた場合には、キー入力部２２からパスワード入力を行い、指紋センサ２６から入力される指紋の認証を行い、認証が成功した場合に限り、メール取得のための通信を行わせ、メール受信データの取込み又は参照が可能である。この結果、携帯電話機１２が他人に無断で使用された場合でもメール閲覧を抑止することができる。
【００２４】
次に、ＮＷ機器及び携帯電話機について、図２及び図３を参照して説明する。図２は、ＮＷ機器の一例を示す図、図３は、携帯電話機の一例を示す図である。図２及び図３において、図１と同一部分には同一符号を付してある。
【００２５】
ＮＷ機器１０はコンピュータによって構成され、メールサーバ６とネットワーク８を通して接続されてメールデータ等のデータ送受機能、受信したメールデータの蓄積機能、非接触ＩＣカードによる非接触通信機能、メールデータの加工機能、携帯電話機１２との連携関係を維持するアカウント機能等、各種の機能を備えている。斯かる機能を実現するため、ＮＷ機器１０には、図２に示すように、制御部３０、メモリ部３２、通信制御部３４、ネットワーク（ＮＷ）インタフェース３６、データ受信部として例えば、メール受信部３８、データ記憶部又はデータ蓄積部として例えば、メール記憶部４０、データ加工部として例えば、メール加工部４２、非接触通信部１４の非接触ＩＣカードリーダ／ライタ部４４、アカウント設定部４６、アカウント記憶部４８等が備えられている。
【００２６】
このＮＷ機器１０において、制御部３０は、ＣＰＵ（Central Processing Unit ）等で構成され、データ転送プログラム等の実行により、データの転送先の検索・判定やデータ転送等を含む既述の各種機能の処理を実行し、データ処理部やデータ転送判定部等を構成する。メモリ部３２は、既述のデータ転送プログラム、非接触通信処理プログラム等、各種のプログラムを格納する記録媒体である。通信制御部３４は、ＮＷインタフェース３６を通してネットワーク８に接続され、ＩＳＰ４のメールサーバ６との接続を制御する。この実施の形態では、メールサーバ６にＮＷ機器１０を接続し、定期的にメールデータを取り込み、メール受信部３８にそのメールデータが取り込まれる。受信メールデータは、メール記憶部４０に格納されて保存される。また、受信メールデータは、メール加工部４２により、メールデータの不要データの削除や非接触ＩＣカードリーダ／ライタ部４４での送信可能サイズに分割される。ここで、メールデータの不要データの削除は、非接触ＩＣカードリーダ／ライタ部４４によるデータ転送のための処理であって、不要データは例えば、受信メールのメールヘッダ内の題名、送信者、宛先、送信時間以外の情報、及び添付ファイルである。
【００２７】
非接触ＩＣカードリーダ／ライタ部４４は、携帯電話機１２の非接触通信部１６との間で電波１８を送受信し、転送データを非接触通信部１６に向けて送信する。また、アカウント設定部４６は、利用者によるメールサーバアドレス、ユーザアカウント、パスワード等の設定に用いられ、設定されたアカウントは、アカウント記憶部４８に格納されて保存される。
【００２８】
携帯電話機１２は通信端末装置の一例であって、コンピュータによって構成されている。この携帯電話機１２は、電話通信機能、非接触ＩＣカードによる非接触通信機能、利用者認証機能等、各種の機能を備えている。斯かる機能を実現するため、携帯電話機１２には、図３に示すように、制御部５０、メモリ部５２、通信制御部５４、アンテナ５６、非接触通信部１６の非接触ＩＣカードチップ５８、非接触ＩＣカード制御部６０、メール記憶部６２、既述のキー入力部２２、画面表示部２４及び指紋センサ２６が備えられている。
【００２９】
この携帯電話機１２において、制御部５０は、既述のＣＰＵ等で構成され、転送データを受けるための通信機能、公衆回線による電話通信機能、画面表示プログラム等、各種機能の処理を実行する。メモリ部５２は、既述のデータ転送プログラムに対応する非接触通信処理プログラム、メール受信プログラム、利用者認証プログラム等、各種のプログラムの他、指紋データ等の生体データやパスワード等の認証データを格納する記録媒体である。通信制御部５４は、公衆電話回線と無線により接続され、電波１８を送受信するためのアンテナ５６を備えている。
【００３０】
非接触ＩＣカードチップ５８は、非接触ＩＣカード制御部６０によって制御されてＮＷ機器１０の非接触通信部１４との間で電波１８を送受信し、ＮＷ機器１０からの転送データを受信する。この転送データは、メール記憶部６２に格納されて保存される。
【００３１】
また、指紋センサ２６は、利用者の指紋認証のための指紋入力に用いられ、また、キー入力部２２は、パスワードの入力や電話番号の入力等に用いられる。画面表示部２４は、ＬＣＤ（Liquid Crystal Display）等で構成され、入力情報や各種メッセージの表示に用いられる。
【００３２】
このようなＮＷ機器１０及び携帯電話機１２を備えるメールデータ転送システム２について、機能及び動作は次の通りである。
【００３３】
このメールデータ転送システム２において、ＮＷ機器１０は携帯電話機１２に対してサーバを構成し、ＮＷ機器１０にはメールサーバ６からメールデータが取り込まれて蓄積され、携帯電話機１２はＮＷ機器１０との通信可能エリア２０に入ることで、ＮＷ機器１０からメールデータの転送を受け、そのメールを読むことができる。
【００３４】
このようなデータ転送を実現するには、ＮＷ機器１０及び携帯電話機１２の環境設定が必要である。ＮＷ機器１０には登録情報として例えば、メールサーバアドレス、ユーザアカウント及びパスワードを設定する。ＮＷ機器１０に設定された登録情報即ち、アカウントと携帯電話機１２とを連携させるため、ＮＷ機器１０の非接触通信を確立させる。この通信確立により、携帯電話機１２の識別情報として例えば、非接触ＩＣカードチップ５８に付されているユニーク番号をＮＷ機器１０側に通知し、そのユニーク番号とアカウントとの対応付けを行う。即ち、ＮＷ機器１０側の利用者の登録情報と識別情報とを対応付け、メールサーバ６から配信されるメールの携帯電話機１２側への転送を可能にする。
【００３５】
サーバを構成するＮＷ機器１０では、メールサーバ６から定期的にメールの取得を行い、取得したメールはメール記憶部４０に蓄積されて保存される。このようなメール取得は、携帯電話機１２が通信可能エリア２０に入り、通信を確立するためのアクションがあった場合にも、ＮＷ機器１０ではメール取得を行うように構成してもよい。即ち、ＮＷ機器１０側のメール取得と、携帯電話機１２に対するデータ転送とを非同期とすれば、ユーザの待ち時間を短縮することができる。携帯電話機１２の非接触ＩＣカードチップ５８をＮＷ機器１０の非接触通信部１４にかざした場合に、メールサーバ６に対してメール取得の処理を開始したのでは、メール取得、メール分割、その転送等の処理に時間を要し、利用者の待ち時間が長くなるので、これを防止するため、ＮＷ機器１０ではメール取得を定期的に実行し、それをメール記憶部４０に蓄積し、携帯電話機１２に対するデータ転送に備え、ユーザの待機時間の短縮化を図っている。
【００３６】
ＮＷ機器１０では、受信したメールデータから不要データを削除し、転送データ量の削減を図っている。既述の通り、受信メールのメールヘッダの中、題名、送信者、宛先、送信日時以外のデータ及び添付ファイルを除去すれば、データサイズが小さくなるので、非接触通信によるデータ転送量が制限されている場合に対応でき、しかも、通信時間の短縮化を図ることができる。
【００３７】
メールデータは１回の非接触通信で受け渡し可能なサイズ以下のデータ量であることが必要である。そこで、メールサーバ６からＮＷ機器１０に受信したメールデータは、転送可能サイズを単位に分割し、分割メールデータとしてメール記憶部４０のデータ領域に格納する。この場合、格納データ中のメールデータ管理領域には、分割メールデータが存在している旨を表す記録データを格納する。
【００３８】
ＮＷ機器１０及び携帯電話機１２について、非接触ＩＣカードリーダ／ライタ部４４と非接触ＩＣカードチップ５８との通信により、携帯電話機１２の非接触ＩＣカードチップ５８が持つユニーク番号をＮＷ機器１０が取得することにより、ＮＷ機器１０と携帯電話機１２との連携関係が維持され、メールデータの転送先の携帯電話機１２に特定のメールが転送されたことが判る。そこで、特定の転送先である携帯電話機１２にメールデータが転送された後、ＮＷ機器１０では、転送データを消去、破棄することにより、メール記憶部４０のデータ領域の占有を防止できる。非接触通信による携帯電話機１２に対するメールデータの転送、転送データの消去、メールサーバ６からのメールデータの取込みを繰り返すことにより、限られたデータ量のデータ領域を以て、そのデータ量を遙かに超える多量のデータ転送を行うことができる。
【００３９】
また、携帯電話機１２では、ＮＷ機器１０の近傍即ち、通信可能エリア２０に携帯電話機１２が入ったとき、非接触通信を開始する。転送データのデータ形式からメールデータを認識することができ、これを契機にして、既述のメール受信プログラムを起動し、メールデータの取込みが行われる。メールデータは、メール記憶部６２のデータ領域に格納されて保存される。メールデータの取込みと携帯電話機１２の電話着信との関係について、メールデータの取込み中に電話着信があった場合には例えば、メールデータの取込み中であることを表示し、メールデータの取込みを優先してもよく、メールデータの取込みを中止して電話着信及び通話を優先する構成としてもよい。
【００４０】
携帯電話機１２のメールデータの取込みにおいて、パスワードや生体認証等の利用者認証を前置すれば、その認証が成功した場合にのみメールデータの取得を可能にすれば、登録利用者以外の不正アクセスを防止できる。
【００４１】
そして、携帯電話機１２に取り込まれたメールデータは、既述の画面表示プログラムの実行により、画面表示部２４に展開して表示する。また、受信データの管理情報として、ＮＷ機器１０側に分割メールデータが残存することを表すメッセージとともに、データを連続して受けるべきことをアイコン等により、画面表示部２４に表示して告知する。使用者は、その表示を確認することにより、ＮＷ機器１０からのデータ転送状態を維持させることができ、データ転送の途切れを防止できる。
【００４２】
次に、非接触通信部について、図４及び図５を参照して説明する。図４はＮＷ機器の非接触通信部の一例を示す図、図５は携帯電話機の非接触通信部の一例を示す図である。
【００４３】
ＮＷ機器１０の非接触通信部１４に設置された非接触ＩＣカードリーダ／ライタ部４４は、図４に示すように、処理部６６、送受信部６８及びアンテナ７０を備えている。送受信部６８はアンテナ７０を通じて特定周波数の電波１８による送受信を行う。処理部６６では、メールサーバ６から取り込まれたメールデータの分割データ等の転送データを出力し、この転送データは、送受信部６８による変調処理等を経て電波１８としてアンテナ７０から携帯電話機１２側の非接触通信部１６に向けて送信される。
【００４４】
非接触通信部１６は、図５に示すように、基板７２に非接触ＩＣカードチップ５８とともにアンテナ７４が搭載されており、非接触ＩＣカードチップ５８は制御部７６、記憶部７８及び送受信部８０で構成されている。送受信部８０はアンテナ７４を通じて特定周波数の電波１８の送受信を行う。制御部７６では、非接触ＩＣカードチップ５８に付されているユニーク番号等の識別情報を送受信部８０に通知するとともに、この送受信部８０の送受信制御や記憶部７８に対する各情報の格納や読出しを行う。記憶部７８には、既述のユニーク番号等の識別情報やプログラム等が格納されている。
【００４５】
このような非接触ＩＣカードリーダ／ライタ部４４と非接触ＩＣカードチップ５８との間で電波１８による非接触通信が行われ、識別情報による両者の連携関係とともに、既述の転送データの送受信が行われる。
【００４６】
次に、メールサーバ６、ＮＷ機器１０及び携帯電話機１２の連携関係について、図６を参照して説明する。図６は、メールサーバ６、ＮＷ機器１０及び携帯電話機１２の連携処理を示すシーケンス図である。
【００４７】
メールサーバ６はネットワーク８を通して配信されるメールを受信し、そのメールを蓄積する（ステップＳ１００）。ＮＷ機器１０には、利用者によりメールサーバアドレス、ユーザアカウント及びパスワードが設定される（ステップＳ２００）。このＮＷ機器１０とメールデータの転送先である携帯電話機１２とを結びつけるため、非接触通信を成立させ、ＮＷ機器１０に携帯電話機１２から非接触ＩＣカードチップ５８のユニーク番号を転送する（ステップＳ３００）。これにより、ＮＷ機器１０側の登録情報と携帯電話機１２との識別情報とが対応付けられ、携帯電話機１２側でＮＷ機器１０側から転送データを受けるための条件が成立する。
【００４８】
このような対応関係の樹立の後、ＮＷ機器１０側からメールサーバ６に定期的にアクセスし、メールサーバ６に蓄積しているメールを受信し、それをＮＷ機器１０のメール記憶部４０に格納する（ステップＳ４００）。取得したメールデータについて、既述の不要データを除き、非接触通信で転送可能なサイズに分割する等のデータ加工を行う（ステップＳ５００）。
【００４９】
そして、携帯電話機１２では、転送データを受けるための前置処理として、認証処理を実行し（ステップＳ６００）、ＮＷ機器１０との通信可能エリア２０に携帯電話機１２が入ることにより、ＮＷ機器１０と携帯電話機１２との非接触通信を成立させ（ステップＳ７００）、ＮＷ機器１０から転送データを取得する（ステップＳ８００）。
【００５０】
メールサーバ６では、繰り返しメール受信及びその蓄積が行われ（ステップＳ９００、Ｓ１０００・・・）、これに対応し、ＮＷ機器１０では定期的なアクセスによりメール受信が行われ、携帯電話機１２でのステップＳ６００〜Ｓ８００の処理が実行される。
【００５１】
次に、ＮＷ機器１０の環境設定について、図７を参照して説明する。図７は、ＮＷ機器の環境設定の処理手順を示すフローチャートである。
【００５２】
この環境設定処理は、メールサーバ６とＮＷ機器１０との通信を可能にするために行われる。そこで、ＮＷ機器１０には、メールサーバ６のアドレス、アカウント、パスワード等の識別情報を設定する（ステップＳ１）。これらの設定により、メールサーバ６とＮＷ機器１０とがネットワーク８を介して通信が可能となり、メールサーバ６からメールを受信することが可能となる。この設定の後、ＮＷ機器１０から携帯電話機１２に対し、ポーリング通信を発信する（ステップＳ２）。このポーリング通信に対し、携帯電話機１２から応答があったか否かを判断し（ステップＳ３）、携帯電話機１２から応答がなかったならば（ステップＳ３のＮＯ）、この設定処理を終了する。
【００５３】
携帯電話機１２から応答があったならば（ステップＳ３のＹＥＳ）、携帯電話機１２の非接触ＩＣカードチップ５８のユニークＩＤ情報を取得する（ステップＳ４）。このユニークＩＤ情報は、非接触ＩＣカードチップ５８に記憶されている固有の情報であって、例えば、ユニーク番号で構成されている。ＮＷ機器１０では、携帯電話機１２から取得したユニークＩＤ情報とアカウント情報とを対応付け、アカウント記憶部４８にこれらを格納して保存し、この処理を終了する。
【００５４】
次に、ＮＷ機器１０側のデータ連携処理について、図８を参照して説明する。図８は、ＮＷ機器側のデータ連携処理の処理手順を示すフローチャートである。
【００５５】
ＮＷ機器１０にはメールサーバ６に対してメール情報が到来したか否かを確認する定期メールチェック機能が備えられており、所定の時間間隔を以て定期的にメールチェックが実行される。そこで、ＮＷ機器１０では、定期メールチェック間隔の時間が経過したか否かが判断され（ステップＳ１１）、その時間が経過したならば（ステップＳ１１のＹＥＳ）、メールサーバ６からメールを取得し、取得したメールをメール記憶部４０に保存する（ステップＳ１２）。このメール取得の後、携帯電話機１２に対してポーリング通信を発信する（ステップＳ１３）。定期メールチェック間隔の時間が経過していない場合にも（ステップＳ１１のＮＯ）、携帯電話機１２に対してポーリング通信を発信する（ステップＳ１３）。
【００５６】
このポーリング通信の後、携帯電話機１２から応答があったか否かを判断し（ステップＳ１４）、携帯電話機１２から応答がない場合には（ステップＳ１４のＮＯ）、ステップＳ１１に戻り、応答があったならば（ステップＳ１４のＹＥＳ）、携帯電話機１２の非接触通信部１６よりユニークＩＤ情報を取得する（ステップＳ１５）。
【００５７】
このユニークＩＤ情報はメールアドレス情報の読込みに用いられ、アカウント記憶部４８からユニークＩＤ情報をキーに持つメールアドレス情報を読み込む（ステップＳ１６）。そして、対応するメールデータが存在したか否かの判断が実行され（ステップＳ１７）、メールデータが存在すれば（ステップＳ１７のＹＥＳ）、不要データを削除したメールデータを転送可能なサイズに分割し、転送データとして応答データを作成し（ステップＳ１８）、この分割メールデータを応答データとして取り出す（ステップＳ１９）。
【００５８】
そして、ＮＷ機器１０では、携帯電話機１２との通信準備が完了するのを待ち（ステップＳ２０）、通信準備が完了すると、応答データを非接触通信部１４を通じて携帯電話機１２の非接触通信部１６に送信する（ステップＳ２１）。この送信開始の後、全ての分割メールデータの転送が完了したか否かの判断が行われ（ステップＳ２２）、完了していない場合には（ステップＳ２２のＮＯ）、ステップＳ１９〜Ｓ２２の処理が繰り返されて全ての分割メールデータの転送が完了するまで送信を継続する。全ての分割メールデータの転送が完了したならば（ステップＳ２２のＹＥＳ）、このデータ連携処理を完了する。
【００５９】
また、対応するメールデータが存在していない場合には（ステップＳ１７のＮＯ）、メールデータが存在しないことを表す応答データを作成し（ステップＳ２３）、この応答データを、通信準備の完了の後、非接触通信部１４を通じて携帯電話機１２の非接触通信部１６に送信する（ステップＳ２０、Ｓ２１）。
【００６０】
次に、メールデータの分割処理（図８のステップＳ１８）について、図９を参照して説明する。図９は、メールデータの分割処理サブルーチンの処理手順を示すフローチャートである。
【００６１】
メールデータの分割処理が開始されると、ＮＷ機器１０のアカウント設定部４６より、メール本文の転送有無設定を読み込み（ステップＳ１８０１）、メール記憶部４０より、特定したメールアドレスに対応するメール１通分のメールデータを取り出し（ステップＳ１８０２）、そのメールデータから、メールの題名、送信日時、宛先の情報を取り出す（ステップＳ１８０３）。
【００６２】
ここで、メール本文の転送設定が有効になっているか否かを判断し（ステップＳ１８０４）、転送設定が有効になっているならば（ステップＳ１８０４のＹＥＳ）、メールデータより本文の情報を取り出す（ステップＳ１８０５）。メール本文に添付ファイルが付属されている場合には、添付ファイルデータを削除し（ステップＳ１８０６）、取り出したデータにメール区切りを示す終端データを追加し（ステップＳ１８０７）、取り出したデータを前回取り出したデータと結合し（ステップＳ１８０８）、全てのメールデータの処理が終了したか否かを判断する（ステップＳ１８０９）。全てのメールデータの処理が終了しているならば（ステップＳ１８０９のＹＥＳ）、取り出したデータ（結合済）を圧縮し（ステップＳ１８１０）、圧縮データを１回で転送可能なデータ転送サイズに分割し（ステップＳ１８１１）、分割後のデータに順に番号を振り、管理情報として付加する（ステップＳ１８１２）。
【００６３】
また、ステップＳ１８０４において、メール本文の転送設定が無効になっているならば（ステップＳ１８０４のＮＯ）、ステップＳ１８０５、Ｓ１８０６の処理を省略し、ステップＳ１８０７に移行する。また、ステップＳ１８０９において、全てのメールデータの処理が終了していない場合には（ステップＳ１８０９のＮＯ）、全てのメールデータの処理が終了するまでステップＳ１８０２〜Ｓ１８０９の処理が繰り返される。
【００６４】
斯かる処理により、メールデータが転送可能なサイズに分割処理され、転送が可能となる。
【００６５】
次に、メールデータの分割について、図１０及び図１１を参照して説明する。図１０は、メールデータの不要データの削除処理を示す図、図１１はメールデータの分割処理を示す図である。
【００６６】
受信メール１００は、図１０の（Ａ）に示すように、メールヘッダ１０２及びメール本体１０４で構成され、メールヘッダ１０２には、題名１０２１、送信者１０２２、送信日時１０２３、宛先１０２４及びその他１０２５の各データが含まれる。また、メール本体１０４には、本文１０４１、添付ファイル１０４２及び終端１０４３の各データが含まれる。
【００６７】
この受信メール１００から必要なデータの取り出しが行われ、図１０の（Ｂ）に示すように、必要データとしてメールデータ１０６を得る。この場合、メールデータ１０６には、題名１０２１、送信者１０２２、送信日時１０２３、宛先１０２４、本文１０４１及び終端１０４３が含まれ、元データ（受信メール１００）からその他１０２５、添付ファイル１０４２が除かれている。この場合、メールデータ１０６に対し、本文１０４１は、転送が有効な場合のみ加えられる。
【００６８】
そして、このメールデータ１０６は、図１０の（Ｃ）に示すメールデータ１０６１に対応し、他のメールデータ１０６２、１０６３・・・も同様の構成である。
【００６９】
これらメールデータ１０６１、１０６２、１０６３は、図１１の（Ａ）に示すように、転送データとして結合され、結合メールデータ１０６０が構成される。この結合メールデータ１０６０を圧縮し、図１１の（Ｂ）に示すように、圧縮メールデータ１１０が得られる。
【００７０】
この圧縮メールデータ１１０は、１回で転送可能な転送サイズに分割され、図１１の（Ｃ）に示すように、分割メールデータ１１０１、１１０２、１１０３、１１０４が得られる。
【００７１】
そして、分割メールデータ１１０１、１１０２、１１０３、１１０４は個別にフォーマット処理され、図１１の（Ｄ）に示すように、１回の転送データ１２０は、管理データ１２１及びメールデータ１２２で構成され、管理データ１２１は、識別子１２１１、通し番号１２１２、全分割数１２１３、分割データサイズ１２１４で構成され、メールデータ１２２は既述の分割メールデータ１１０１（又は１１０２、１１０３、１１０４）で構成されている。
【００７２】
次に、携帯電話機１２側のデータ連携処理について、図１２を参照して説明する。図１２は、携帯電話機１２側のデータ連携処理の処理手順を示すフローチャートである。
【００７３】
携帯電話機１２がＮＷ機器１０と非接触通信をするには、携帯電話機１２をＮＷ機器１０の通信可能エリア２０でＮＷ機器１０に向ける（又は翳す）ことにより行う（ステップＳ３１）。これにより、非接触通信が成立し、ＮＷ機器１０側から通信データを受信する（ステップＳ３２）。ここで、受信データはメール閲覧プログラムのデータか否かが判断され（ステップＳ３３）、受信データがメール閲覧プログラムのデータであれば（ステップＳ３３のＹＥＳ）、利用者認証を行う（ステップＳ３４）。この利用者認証は、パスワード、生体認証等の認証データにより行い、パスワード認証であれば、携帯電話機１２からパスワードを入力し、生体認証として例えば、指紋認証であれば、携帯電話機１２から指紋を入力する。これら入力された認証データが登録された認証データと比較され、利用者の特定が行われる。
【００７４】
そこで、認証が成功したか否かの判断が行われ（ステップＳ３５）、認証が成功したならば（ステップＳ３５のＹＥＳ）、例えば、図１３に示すように、データ通信中を表す画面を表示し（ステップＳ３６）、データ通信中の注意を促す。
【００７５】
このデータ通信を維持しながらＮＷ機器１０側からの非接触通信を待ち（ステップＳ３７）、タイムアウトか否かを判断し（ステップＳ３８）、所定時間以内であれば（ステップＳ３８のＮＯ）、受信したメールデータをメール記憶部６２に保存する（ステップＳ３９）。ここで、全てのメールデータの転送が完了したか否かの判断が行われ（ステップＳ４０）、全てのメールデータの転送が完了したならば（ステップＳ４０のＹＥＳ）、各受信データから分割メールデータを取り出し、付されている通し番号順に結合し（ステップＳ４１）、結合後のデータを伸長する（圧縮データを元データに戻す）（ステップＳ４２）。
【００７６】
結合データにメールが存在しているか否かの判断を行い（ステップＳ４３）、メールが存在している場合には、画面表示部２４に読み込んだメールデータを表示し（ステップＳ４４）、この処理を終了する。
【００７７】
ステップＳ３３において、受信データがメール閲覧プログラムのデータでない場合には（ステップＳ３３のＮＯ）、この処理を終了し、また、認証が成功しなかった場合にも（ステップＳ３５のＮＯ）、この処理を終了する。また、ステップＳ３８において、タイムアウトとなった場合には（ステップＳ３８のＹＥＳ）、図１４に示すように、画面表示部２４に読込み失敗を表すメッセージを表示し（ステップＳ４５）、再度の非接触通信を行うことを促す。
【００７８】
また、全てのメールデータの転送が完了していないならば（ステップＳ４０のＮＯ）、ステップＳ３６〜Ｓ４０の処理が継続して実行され、メールデータの転送が完了するまで、同様の処理が継続して行われる。
【００７９】
結合データを伸長した後、メールが存在していないならば（ステップＳ４３のＮＯ）、図１５に示すように、画面表示部２４に、メールが存在しないことを表すメッセージを表示し（ステップＳ４６）、この処理を終了する。
【００８０】
次に、画面表示部２４に表示されるメッセージについて、図１３、図１４、図１５及び図１６を参照して説明する。図１３は、非接触通信中を表すメッセージを示す図、図１４は、データ読込みの失敗を告知するメッセージを示す図、図１５は、メールの有無を表すメッセージを示す図、図１６は、データ転送中を表すメッセージを示す図である。図１３〜図１６において、図１と同一部分には同一符号を付してある。
【００８１】
非接触通信中では、図１３に示すように、画面表示部２４の画面２４０に非接触通信中を表すメッセージ２４０２として、
「非接触通信中です。
そのまま携帯電話機を離さずしばらくお待ちください。」
を表示するとともに、非接触通信中を表すアイコン２４０４が表示される。アイコン２４０４には、ＮＷ機器１０、携帯電話機１２及び電波１８の伝送方向を表す矢印が表示されている。利用者は、これらのメッセージ２４０２やアイコン２４０４を視認することにより、非接触通信中であることを容易に認識することができる。
【００８２】
また、データ読込みを失敗した場合には、図１４に示すように、画面表示部２４の画面２４０にデータ読込みの失敗を告知するアイコン２４０６とともに、メッセージ２４０８として、
「読み込みに失敗しました。                                                        通信をやり直してください。」
を表示する。この場合、アイコン２４０６は、「ＮＧ」と表示される。利用者は、これらのアイコン２４０６やメッセージ２４０８を視認することにより、データ読込みを失敗し、通信のやり直しを促される。
【００８３】
また、転送データの処理において、転送データがない場合には例えば、図１５に示すように、画面表示部２４の画面２４０に転送データがない旨のメッセージ２４１０として、
「メールはありません。」
を表示する。利用者は、このメッセージ２４１０を視認することにより、メールのないことを認識することができる。
【００８４】
また、データ転送中には、図１６に示すように、画面表示部２４の画面２４０にデータ転送中を表すメッセージ２４１２として、
「データ転送中です。
そのまま携帯電話機を離さずしばらくお待ちください。」
を表示するとともに、データ転送中を表すアイコン２４１４、データ蓄積を表すアイコン２４１６が表示される。アイコン２４１４には、ＮＷ機器１０、携帯電話機１２及び電波１８のデータ伝送の方向を表す矢印が表示され、アイコン２４１６にはデータ蓄積の蓄積量が表示される。利用者は、これらのメッセージ２４１２、アイコン２４１４、２４１６を視認することにより、データ転送中であることを容易に認識することができるとともに、携帯電話機１２を移動することなく静止状態に維持することが促される。これにより、データ転送の信頼性が維持される。
【００８５】
次に、利用者の認証処理について、図１７及び図１８を参照して説明する。図１７は、認証処理を示すフローチャート、図１８はその表示画面を示す図である。
【００８６】
認証処理に移行すると、図１８に示すように、画面表示部２４に認証画面２４２が表示され（ステップＳ５１）、利用者は認証画面２４２のメッセージに従ってパスワードや生体認証の一例である指紋等の認証データを入力すればよい（ステップＳ５２）。
【００８７】
この場合、画面表示部２４の認証画面２４２には、図１８に示すように、メッセージ２４１７として「指紋認証」、その操作を表すアイコン２４１８として指紋センサ２６に対する指の操作、その操作方法が表示され、メッセージ２４２０として「指紋又はパスワードを入力してください。」が表示され、その下欄にパスワードの入力エリア２４２２が表示される。
【００８８】
利用者は、これらのメッセージ２４１７、２４２０やアイコン２４１８に対応して認証データとしてパスワード又は指紋を入力し、認証処理を行うことができる。
【００８９】
〔他の実施の形態〕
【００９０】
(1)   分割メールデータの転送について、例えば、図１９に示すように、画面表示部２４の画面２４０にメッセージ２４２４として、
「分割メールデータがまだＮＷ機器に存在しています。」
を表示するとともに、データ転送を表すアイコン２４２６を表示してもよい。
【００９１】
斯かる構成によれば、利用者は、このメッセージ２４２４及びアイコン２４２６を視認することにより、分割メールデータがＮＷ機器１０に残存し、データ転送中であることを容易に認識することができる。
【００９２】
(2) メールデータの分割処理について、例えば、図２０に示すように、メールデータのサイズ判断を行う構成としてもよい。即ち、図８に示すフローチャートのステップＳ１７の後段でメールデータが転送可能な所定サイズを超えているか否かを判断し（ステップＳ２４）、メールデータが転送可能な所定サイズを超えている場合には（ステップＳ２４のＹＥＳ）、メールデータの分割処理に移行し（ステップＳ１８）、メールデータのサイズが所定サイズ未満の場合には（ステップＳ２４のＮＯ）、そのメールデータを応答データとして取り出し（ステップＳ２５）、ステップＳ２０に移行する構成としてもよい。
【００９３】
(3) 図２１に示すように、ＮＷ機器１０としてパーソナルコンピュータ９０を用いてもよく、このパーソナルコンピュータ９０に既述の非接触通信部１４を接続する構成としてもよい。図２１において、図１と同一部分には同一符号を付してその説明を省略する。
【００９４】
(4) 図２２に示すように、通信端末装置として携帯情報端末機（ＰＤＡ：Personal Digital Assistant）９２を用いてもよい。図２２において、図１と同一部分には同一符号を付してその説明を省略する。
【００９５】
(5) 図２３に示すように、通信端末装置としてディジタルカメラ９４を用いて転送データを受ける構成としてもよい。図２３において、図１と同一部分には同一符号を付してその説明を省略する。
【００９６】
(6) 上記実施の形態では、ネットワーク８を通じて転送されるメールデータを例に取って説明したが、本発明は、メールデータ以外の各種のデータの転送に利用することができ、メールデータに限定されるものではない。
【００９７】
(7) 生体認証の一例として指紋認証を例示したが、静脈認証等、生体を表す情報を認証に用いてもよい。
【００９８】
次に、以上述べた本発明のデータ転送装置、データ転送方法、データ転送プログラム、通信端末装置及びデータ転送システムの実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００９９】
（付記１）  ネットワークからの受信データを転送するデータ転送装置であって、
前記ネットワークを通じてデータを受信するデータ受信部と、
無線によりデータの書き込みが可能な非接触ＩＣカードが搭載された通信端末装置の前記非接触ＩＣカードに前記受信データを書き込む非接触通信部と、
を含むことを特徴とするデータ転送装置。
【０１００】
（付記２）  付記１記載のデータ転送装置において、
前記非接触通信部と前記非接触ＩＣカードとの通信を確立させ、前記通信端末装置から受信した認証データにより、前記受信データの転送先であるか否かを判定する転送先判定部を含むことを特徴とするデータ転送装置。
【０１０１】
（付記３）  付記１記載のデータ転送装置において、
前記ネットワークを通じてデータの転送先を特定する登録情報と、前記通信端末装置を特定する識別情報とを対応付け、前記識別情報に前記データを仕分ける処理部を含むことを特徴とするデータ転送装置。
【０１０２】
（付記４）  付記１記載のデータ転送装置において、
データ配信元に前記ネットワークを通じて接続され、前記ネットワークを通じて定期的にデータを取り込む通信制御部と、
前記通信制御部で取り込んだ前記データを蓄積するデータ蓄積部と、
を含むことを特徴とするデータ転送装置。
【０１０３】
（付記５）  付記１記載のデータ転送装置において、
前記データ受信部の前記受信データから不要データを除去して転送データに加工するデータ加工部を含むことを特徴とするデータ転送装置。
【０１０４】
（付記６）  付記１記載のデータ転送装置において、
前記データ受信部の前記受信データを前記非接触ＩＣカードに転送可能サイズの単位に分割して転送データに加工するデータ加工部を含むことを特徴とするデータ転送装置。        
【０１０５】
（付記７）  ネットワークからの受信データを転送するデータ転送方法であって、
前記ネットワークを通じてデータ受信部にデータを受信する処理と、
前記データの転送先の通信端末装置に搭載されて無線によりデータの書き込みが可能な非接触ＩＣカードと通信を確立させる処理と、
前記非接触ＩＣカードに対し、前記データ受信部の受信データを書き込む処理と、
を含むことを特徴とするデータ転送方法。
【０１０６】
（付記８）  付記７記載のデータ転送方法において、
非接触通信部と前記非接触ＩＣカードとの通信を確立させる処理と、
前記通信端末装置から受信した認証データにより、前記受信データの転送先であるか否かを判定する処理を含むことを特徴とするデータ転送方法。
【０１０７】
（付記９）  付記７記載のデータ転送方法において、
前記ネットワークを通じてデータの転送先を判定する登録情報に、前記通信端末装置を特定する識別情報を対応付ける処理を含むことを特徴とするデータ転送方法。
【０１０８】
（付記１０）  付記７記載のデータ転送方法において、
データ配信元から前記ネットワークを通して定期的にデータを受信する処理と、
前記受信データを蓄積する処理と、
を含むことを特徴とするデータ転送方法。
【０１０９】
（付記１１）  付記７記載のデータ転送方法において、
前記受信データから不要データを除去して転送データに加工する処理を含むことを特徴とするデータ転送方法。
【０１１０】
（付記１２）  付記７記載のデータ転送方法において、
前記受信データを転送可能サイズの単位に分割して転送データに加工する処理を含むことを特徴とするデータ転送方法。
【０１１１】
（付記１３）  コンピュータにより実行され、ネットワークを通して受信したデータを転送するデータ転送プログラムであって、
前記ネットワークを通じてデータを受信するステップと、
前記データの転送先の通信端末装置に搭載されて無線によりデータの書き込みが可能な非接触ＩＣカードとの通信を確立させるステップと、
前記非接触ＩＣカードに受信データを書き込むステップと、
を含むことを特徴とするデータ転送プログラム。
【０１１２】
（付記１４）  付記１３記載のデータ転送プログラムにおいて、
非接触通信部と前記非接触ＩＣカードとの通信を確立させるステップと、
前記通信端末装置から受信した認証データにより、前記受信データの転送先であるか否かを判定するステップを含むことを特徴とするデータ転送プログラム。
【０１１３】
（付記１５）  付記１３記載のデータ転送プログラムにおいて、
前記ネットワークを通じてデータの転送先を判定する登録情報に、前記通信端末装置を特定する識別情報を対応付けるステップを含むことを特徴とするデータ転送プログラム。
【０１１４】
（付記１６）  付記１３記載のデータ転送プログラムにおいて、
データ配信元から前記ネットワークを通して定期的にデータを受信するステップと、
前記受信データを蓄積するステップと、
を含むことを特徴とするデータ転送プログラム。
【０１１５】
（付記１７）  付記１３記載のデータ転送プログラムにおいて、
前記受信データから不要データを除去して転送データに加工するステップを含むことを特徴とするデータ転送プログラム。
【０１１６】
（付記１８）  付記１３記載のデータ転送プログラムにおいて、
前記受信データを転送可能サイズの単位に分割して転送データに加工するステップを含むことを特徴とするデータ転送プログラム。
【０１１７】
（付記１９）  ネットワークからの受信データがデータ転送装置を介して転送される通信端末装置であって、
無線によりデータの書き込みが可能な非接触ＩＣカードを備え、該非接触ＩＣカードに通信を確立させた前記データ転送装置の非接触通信部により前記受信データが書き込まれることを特徴とする通信端末装置。
【０１１８】
（付記２０）  付記１９記載の通信端末装置において、
利用者の認証データを登録する認証データ登録部と、
入力された認証データが前記認証データ登録部にある登録認証データと合致した場合に前記非接触通信部に前記データの取込みを許可する制御部と、
を含むことを特徴とする通信端末装置。
【０１１９】
（付記２１）  ネットワークからの受信データを転送するデータ転送システムであって、
無線によりデータが書き込み可能な非接触ＩＣカードを備える通信端末装置と、
無線により前記非接触ＩＣカードにデータを書き込む非接触通信部を備え、前記通信端末装置の前記非接触ＩＣカードと前記非接触通信部との通信を確立させ、前記非接触通信部により前記非接触ＩＣカードに前記受信データを書き込むデータ転送装置と、
を含むことを特徴とするデータ転送システム。
【０１２０】
（付記２２）  付記２１記載のデータ転送システムにおいて、
前記データ転送装置がパーソナルコンピュータであることを特徴とするデータ転送システム。
【０１２１】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１２２】
本発明によれば、ネットワークからデータ転送装置により受信したメールデータ等のデータを、データ転送装置と通信端末装置との間で非接触ＩＣカード通信を介在させることにより、通信端末装置に転送させることができ、公衆回線等の回線接続を用いることなく、メールデータ等の各種のデータを通信端末装置で受けることができる。
【図面の簡単な説明】
【０１２３】
【図１】メールデータ転送システムを示す図である。
【図２】ネットワーク機器の構成例を示す図である。
【図３】携帯電話機の構成例を示す図である。
【図４】非接触ＩＣカードリーダ／ライタ部の構成例を示す図である。
【図５】非接触ＩＣカードチップの構成例を示す図である。
【図６】メールサーバ、ＮＷ機器及び携帯電話機の連携処理を示す図である。
【図７】ＮＷ機器の環境設定処理を示すフローチャートである。
【図８】ＮＷ機器のデータ連携処理を示すフローチャートである。
【図９】メールデータの分割処理サブルーチンを示すフローチャートである。
【図１０】メールデータの不要データの削除処理を示す図である。
【図１１】メールデータの分割処理を示す図である。
【図１２】携帯電話機のデータ連携処理を示すフローチャートである。
【図１３】非接触通信中を表すメッセージを示す図である。
【図１４】データ読込みの失敗を告知するメッセージを示す図である。
【図１５】メールの有無を表すメッセージを示す図である。
【図１６】データ転送中を表すメッセージを示す図である。
【図１７】認証処理を示すフローチャートである。
【図１８】認証画面を示す図である。
【図１９】分割メールデータの残存を表すメッセージを示す図である。
【図２０】ＮＷ機器側のデータ連携処理の変形例を示すフローチャートである。
【図２１】メールデータ転送システムの変形例を示す図である。
【図２２】メールデータ転送システムの変形例を示す図である。
【図２３】メールデータ転送システムの変形例を示す図である。
【符号の説明】
【０１２４】
２  メールデータ転送システム
４  インターネット・サービス・プロバイダ（ＩＳＰ）
６  メールサーバ
８  ネットワーク
１０  ネットワーク（ＮＷ）機器（データ転送装置）
１２  携帯電話機（通信端末装置）
１４、１６  非接触通信部
２０  通信可能エリア
３８  メール受信部（データ受信部）
４４  非接触ＩＣカードリーダ／ライタ部
５８  非接触ＩＣカードチップ
【図１】
2007140864.tif 000003
【図２】
2007140864.tif 000004
【図３】
2007140864.tif 000005
【図４】
2007140864.tif 000006
【図５】
2007140864.tif 000007
【図６】
2007140864.tif 000008
【図７】
2007140864.tif 000009
【図８】
2007140864.tif 000010
【図９】
2007140864.tif 000011
【図１０】
2007140864.tif 000012
【図１１】
2007140864.tif 000013
【図１２】
2007140864.tif 000014
【図１３】
2007140864.tif 000015
【図１４】
2007140864.tif 000016
【図１５】
2007140864.tif 000017
【図１６】
2007140864.tif 000018
【図１７】
2007140864.tif 000019
【図１８】
2007140864.tif 000020
【図１９】
2007140864.tif 000021
【図２０】
2007140864.tif 000022
【図２１】
2007140864.tif 000023
【図２２】
2007140864.tif 000024
【図２３】
2007140864.tif 000025